(57)【要約】本発明は、移動体通信システム内で、データパケットを伝送する方法、並びに、相応の移動体通信システムに関する。この方法によると、送信局Ｂ１と受信局ＵＥとの間の伝送路１に沿って形成されるコネクションを、新規の送信局Ｂ２にハンドオーバーした後、データパケットＤＰｍ′を受信局ＵＥに新規伝送路２を介して即座に伝送することができる。その際、新規送信局Ｂ２は、コネクションのハンドオーバー前に伝送されたデータパケットＤＰｍの伝送ステータスに関する情報を利用しない。
2006502609.tif 000002
【特許請求の範囲】
【請求項１】
移動体通信システム内で、第１の送信局（ＲＮＣ；ＭＳ１，ＺＳ）から移動受信局（ＵＥ；ＭＳ４）にデータパケットを伝送する方法において、
第１の送信局（ＲＮＣ；ＭＳ１，ＺＳ）と受信局（ＵＥ；ＭＳ４）との間のコネクションを、第２の送信局（Ｂ１；ＭＳ２）によって構築し、
受信局（ＵＥ；ＭＳ４）への伝送のために、第１のデータパケット（ＤＰｍ）を、前記第１の送信局（ＲＮＣ；ＭＳ１，ＺＳ）から前記第２の送信局（Ｂ１；ＭＳ２）に伝送し、
前記第２の送信局（Ｂ１；ＭＳ２）を介して前記受信局（ＵＥ；ＭＳ４）にうまく伝送されなかった第１のデータパケット（ＤＰｍ）についての情報（Ｉ）を、第２の送信局（Ｂ２；ＭＳ３）及び／又は受信局（ＵＥ；ＭＳ４）で検出し、
前記コネクションを前記第３の送信局（Ｂ２；ＭＳ３）にハンドオーバーし、
前記コネクションのハンドオーバー後、第２のデータパケット（ＤＰｍ′）を前記第１の送信局（ＲＮＣ；ＭＳ１，ＺＳ）から前記第３の送信局（Ｂ２；ＭＳ３）に伝送し、当該第３の送信局（Ｂ２；ＭＳ３）から前記受信局（ＵＥ；ＭＳ４）に伝送し、
前記情報（Ｉ）を、前記第２のデータパケット（ＤＰｍ′）の伝送後初めて、前記第１の送信局（ＲＮＣ；ＭＳ１，ＺＳ）及び／又は前記第３の送信局（Ｂ２；ＭＳ３）に伝送する
ことを特徴とする方法。
【請求項２】
セルラー移動体通信システムで方法を実施し、
第１の送信局を、コントローラ（ＲＮＣ）にし、
第２及び第３の送信局を基地局（Ｂ１，Ｂ２）にし、
受信局を加入者装置（ＵＥ）にする請求項１記載の方法。
【請求項３】
アドホックネットワークで方法を実施し、
第１の送信局を、移動局（ＭＳ１）又はアクセス局（ＺＳ）にし、
第２及び第３の送信局並びに受信局を、移動局（ＭＳ２，ＭＳ３，ＭＳ４）にする請求項１記載の方法。
【請求項４】
第２のデータパケット（ＤＰｍ′）を、第１のデータパケット（ＤＰｍ）のどれとも一致させない請求項１から３迄の何れか１記載の方法。
【請求項５】
第２のデータパケット（ＤＰｍ′）を、第１のデータパケット（ＤＰｍ）の、第１の送信局（ＲＮＣ；ＭＳ１，ＺＳ）から第２の送信局（Ｂ１；ＭＳ２）に伝送されるが、コネクションが引き渡される前に、前記第２の送信局（Ｂ１；ＭＳ２）から受信局（ＵＥ；ＭＳ４）に伝送されないようなものと一致させる請求項１から３迄の何れか１記載の方法。
【請求項６】
第１の送信局（ＲＮＣ；ＭＳ１，ＺＳ）から第２の送信局（Ｂ１；ＭＳ２）又は受信局（ＵＥ；ＭＳ４）への予測伝送期間を用いて、第２のデータパケット（ＤＰｍ′）を求める請求項５記載の方法。
【請求項７】
第１、第２及び第３の送信局（ＲＮＣ，Ｂ１，Ｂ２；ＭＳ１，ＭＳ２，ＭＳ３，ＺＳ）及び移動受信局（ＵＥ；ＭＳ４）を有する移動体通信システムにおいて、
移動体通信システムの、第１の送信局（ＲＮＣ；ＭＳ１，ＺＳ）及び第２の送信局（Ｂ１；ＭＳ２）は、コネクションの第１のデータパケット（ＤＰｍ）を前記第１の送信局（ＲＮＣ；ＭＳ１）から前記第２の送信局（Ｂ１；ＭＳ２）に伝送可能であるように構成されており、
前記移動体通信システムの、前記第２の送信局（Ｂ１；ＭＳ２）及び受信局（ＵＥ；ＭＳ４）は、前記第２の送信局（Ｂ１；ＭＳ２）を介して、受信局（ＵＥ；ＭＳ４）にうまく伝送されなかった第１のデータパケット（ＤＰｍ）についての情報（Ｉ）を、第２の送信局（Ｂ２；ＭＳ３）及び／又は受信局（ＵＥ；ＭＳ４）で求めるように構成されており、
コネクションが第３の送信局（Ｂ２；ＭＳ３）に引き渡されて、第２のデータパケット（ＤＰｍ′）が第１の送信局（ＲＮＣ；ＭＳ１，ＺＳ）から第３の送信局（Ｂ２；ＭＳ３）に伝送され、当該第３の送信局（Ｂ２；ＭＳ３）から前記受信局（ＵＥ；ＭＳ４）に伝送された後に初めて、前記情報（Ｉ）を第１の送信局（ＲＮＣ；ＭＳ１，ＺＳ）及び／又は第３の送信局（Ｂ２；ＭＳ３）に伝送する手段を有していることを特徴とする移動体通信システム。
【発明の詳細な説明】
【技術分野】
【０００１】
本発明は、移動体通信システム内でデータパケットを伝送する方法、並びに相応の移動体通信システムに関する。
【０００２】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）及びＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のような移動体通信システムでは、コア（固定）ネットワークからのデータ及びデータパケットは、送信局を用いてエアインターフェースを介して受信局に伝送される。図１には、従来技術のＵＭＴＳが簡単に略示されている。コアネットワークＣＮは、データ線路Ｉｕを用いてＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と接続されている。ＵＴＲＡＮは、各々コアネットワークＣＮへのデータ線路Ｉｕを有する複数のサブシステムＲＮＳ（Ｒａｄｉｏ  Ｎｅｔｗｏｒｋ  Ｓｕｂｓｙｓｔｅｍ）から構成されている。各データ線路Ｉｕには、常に、コネクションＩｕｂを介して複数の基地局Ｂと接続されているコントローラＲＮＣ（Ｒａｄｉｏ  Ｎｅｔｗｏｒｋ  Ｃｏｎｔｒｏｌｌｅｒ）が接続されている。各基地局Ｂには、（例えば、セクタアンテナを介して）移動体通信システムの複数のセル（ｃｅｌｌ）を対応付けることができる。ＵＴＲＡＮと、ＧＳＭでは移動局と呼ばれる加入者装置ＵＥ（ｕｓｅｒ  ｅｑｕｉｐｍｅｎｔ）との間のインターフェースは、無線コネクションを用いてのインターフェースＵｕを介して行われる。種々異なるサブシステムＲＮＳのコントローラＲＮＣは、一般的に別のインターフェースＩｕｒによって接続される。この別のインターフェースＩｕｒは、特に所謂ハンドオーバー（セル切替）に必要である。
【０００３】
ソフトハンドオーバーの間、加入者装置ＵＥは、各々種々異なったコントローラＲＮＣを配属することができる、少なくとも２つの基地局Ｂと同時に接続される。加入者装置ＵＥとコアネットワークＣＮとの間のデータ交換のために単に１つのコネクションＩｕしか必要としないので、データフローは、ＳＲＮＣ（Ｓｅｒｖｉｎｇ  ＲＮＣ）と呼ばれるコントローラＲＮＣだけによって制御される。両基地局Ｂが種々異なるコントローラＲＮＣに対応付けられると、コントローラＲＮＣの１つだけがＳＲＮＣであり、第２のコントローラはＤＲＮＣ（Ｄｒｉｆｔ  ＲＮＣ）と呼ばれる。ＤＲＮＣと呼ばれるコントローラは、コアネットワークＣＮからのデータ伝送乃至コアネットワークＣＮへのデータ伝送を、別のインターフェースＩｕｒ、従って、コントローラＳＲＮＣを介して展開する。
【０００４】
各コントローラＲＮＣでは、データパケットの他に、どのデータが送信されたか、新たに送信されるか、又は、送信する必要があるか記憶されるメモリＲＳを用いて、コネクションコントロールＲＬＣ（Ｒａｄｉｏ  Ｌｉｎｋ  Ｃｏｎｔｒｏｌ）が行われる。しかし、ソフトハンドオーバーでは、データ伝送の、このステータス情報がコントローラＳＲＮＣ内にだけ記憶される。どのデータがうまくデコーディングされたか、どのデータに対して新たな伝送が要求されているかについての情報が記憶されている、ステータス情報及びデータパケット用の同様のメモリＵＳを、加入者装置ＵＥも利用することができる。データがうまくデコーディングされた場合、加入者装置ＵＥは、確認ＡＣＫ（ａｃｋｎｏｗｌｅｄｇｅ）を権限のあるコントローラＲＮＣのコネクションコントロールＲＬＣに送信する。デコーディングが必要ない場合、その代わりにＮＡＣＫ（ｎｏｎ  ａｃｋｎｏｗｌｅｄｇｅ）が送信される。
【０００５】
ソフトハンドオーバーで、同時に加入者装置ＵＥのコネクションが少なくとも２つの基地局Ｂに対して確立された場合、ハードハンドオーバー時に、第１の基地局Ｂに対するコネクションが予め終了された場合に初めて、他方の基地局Ｂに引き渡される。ソフトハンドオーバーの場合と同様に、このコネクションのハンドオーバーは、各基地局Ｂ間で同じコントローラＲＮＣが行っても、各基地局Ｂ間で種々異なるコントローラＲＮＣが行ってもよい。何れにせよ、ハードオーバー後、加入者装置ＵＥと権限のあるコントローラＲＮＣとの間でのデータ伝送の、記憶されたステータス情報を調整する必要があり、場合によっては、以前のコントローラＲＮＣの記憶内容を新たなコントローラＲＮＣに伝送する必要がある。データ伝送のステータス情報の、この調整は、時間が掛かり、ハードハンドオーバー後のデータ伝送の再開始が遅延される。従って、高いデータレートが達成できない。
【０００６】
加入者装置ＵＥがコネクションを確立したい無線セルを高速で選択する際、データレートに関して同様のことが言える。加入者装置ＵＥは、コアネットワークＣＮへのコネクションを構築することができる、可能な無線セルのセットを選択する。加入者装置ＵＥは、最良の特性を持った無線セルを特定し、セルを供給したい上方向（アップリンク）にシグナリングする。この方式は、ファースト・セル・セレクション（ＦＣＳ）と呼ばれる。選択されたセルがコネクションの間変化すると、ＦＣＳでは、ハードハンドオーバーの場合と同様の問題が生じる。データ伝送の記憶されたステータス情報を、前述のようなＦＣＳの場合にも調整する必要がある。そのために、高いデータレートが、ＦＣＳの場合でも可能ではない。
【０００７】
将来の移動通信システムは、高いデータレートを必要とし、高いデータレートをサポートしなければならない。この一例は、ハイ・スピード・ダウンリンク・パケット・アクセス（ＨＳＤＰＡ）であり、現在、ＵＴＲＡ  ＦＤＤ及びＴＤＤ（Ｕｎｉｖｅｒｓａｌ  Ｔｅｒｒｅｓｔｒｉａｌ  Ｒａｄｉｏ  Ａｃｃｅｓｓ  Ｆｒｅｑｕｅｎｃｙ  Ｄｉｖｉｓｉｏｎ  Ｄｕｐｌｅｘ  ｕｎｄ  Ｔｉｍｅ  Ｄｉｖｉｓｉｏｎ  Ｄｕｐｌｅｘ）用の３ｒｄ  Ｇｅｎｅｒａｔｉｏｎ  Ｐａｒｔｎｅｒｓｈｉｐ  Ｐｒｏｊｅｃｔ（３ＧＰＰ）が議論されている。高いデータレートを達成するために、コントローラＲＮＣから基地局Ｂへのデータ伝送の制御が延期され、即ち、基地局Ｂ内に付加的なメモリＢＳが装置構成され、このメモリ内にデータパケットとデータ伝送のステータス情報が記憶される。このようにして、時間が節約される。つまり、データ伝送を制御する際に、コントローラＲＮＣと基地局Ｂとの間の伝送路がなくて済むからである。このように、基地局Ｂ内の、新規なメモリＢＳを用いて、前述のようなハードハンドオーバーを行ってもよい。そのための提案は、例えば、Ｍｏｔｏｒｏｌａの論文  ＴＳＧ−ＲＡＮ  Ｗｏｒｋｉｎｇ  Ｇｒｏｕｐ  ２  ｍｅｅｔｉｎｇ  ＃１８／００  ｉｎ  Ｅｄｉｎｂｕｒｇｈ，ｖｏｍ  １５．  Ｂｉｓ  １９．  Ｊａｎｕａｒ  ２０００、タイトル”Ｆａｓｔ  Ｃｅｌｌ  Ｓｅｌｅｃｔｉｏｎ  ａｎｄ  Ｈａｎｄｏｖｅｒｓ  ｉｎ  ＨＳＤＰＡ”（Ｒ２−Ａ０１００１７）にある。上述のように、新規の基地局Ｂがデータ伝送のステータスについて通知されると、即ち、以前の基地局Ｂのメモリ内容が新規の基地局Ｂに伝送されると、データ伝送が再び行われる。このようにして、以前の基地局Ｂと新規の基地局Ｂとの間のデータ伝送のステータス情報は、コントローラＲＮＣのコネクションＩｕｂを介して同期化してもよく、場合によっては、別のインターフェースＩｕｒを介して、及び／又は、無線インターフェースを介しての加入者装置ＵＥによって同期化してもよい。つまり、ＨＳＤＰＡ用の限界は、以前の基地局Ｂのメモリ内容を、新規基地局ＢのメモリＢＳに伝送するのに必要な有限時間によって生じる。
【０００８】
従って、本発明の課題は、加入者装置ＵＥに配属されたセルの変化の際に（ハードハンドオーバー又はＦＣＳ）、従来技術で可能なデータレートよりも高いデータレートにすることができる方法を提供することにある。
【０００９】
この課題は、請求項１記載の方法、及び、請求項７記載の移動体通信システムによって解決される。
【００１０】
本発明の有利な実施例は、従属請求項に記載されている。
【００１１】
移動体通信システム内で、第１の送信局から移動受信局にデータパケットを伝送する本発明の方法で、第１の送信局と受信局との間のコネクションを、第２の送信局によって構築し、受信局への伝送のために、第１のデータパケットが、第１の送信局から第２の送信局に伝送される。第２の送信局を介して受信局にうまく伝送されなかった第１のデータパケットについての情報が、第２の送信局及び／又は受信局で検出される。従って、この情報は、データ伝送のステータス情報を提供する。コネクションが第３の送信局に引き渡される。コネクションのハンドオーバー後、第２のデータパケットが、第１の送信局から第３の送信局に伝送され、当該第３の送信局から受信局に伝送される。第２の送信局を介して受信局にうまく伝送されなかった第１のデータパケットについての情報は、第２のデータパケットの伝送後初めて、第１の送信局及び／又は第３の送信局に伝送される。この方法により、ハンドオーバー又はファースト・セル・セレクションに基づいて行われるようなコネクション切替時に、即座にデータパケットを伝送することができるようになり、その際、第３の送信局及び／又は第１の送信局は、前に伝送されたデータパケットがうまくいったか、又はうまくいかなかったについて知る必要がなく、即ち、第２の送信局及び／又は受信局によって求められた、データ伝送のステータス情報を用いるのである。本発明の方法によると、コネクション切替時に、データ伝送を続ける前に、先ずデータ伝送のステータス情報を第２の送信局から第３の送信局及び／又は第１の送信局に伝送する場合に可能となるデータレートよりも高いデータレートにすることができる。特に、この方法は、ハイ・スピード・ダウンリンク・パケット・アクセス（ＨＳＤＰＡ）のような高いデータレートのデータ伝送用に適している。
【００１２】
本発明の第１の実施例では、セルラー移動体通信システムで方法が実施されている。ここでは、第１の送信局はコントローラであり、第２及び第３の送信局は、基地局であり、受信局は、加入者装置である。
【００１３】
本発明の第２の実施例では、アドホックネットワーク（セルフ・オルガナイジング・ネットワークとも呼ばれる）で方法が実施される。アドホックネットワーク、即ち、専ら移動局によって構成することができる通信ネットワークでは、第１の送信局は、移動局又はアクセス局である。その際、アクセス局とは、コアネットワークにアクセスすることができる固定局のことである。第２及び第３の送信局並びに受信局は、移動局である。
【００１４】
有利には、第２のデータパケットを、第１のデータパケットのどれとも一致させない。このようにして、データパケットが複数回伝送されないようにすることができる。こうすることによって、コネクション交換の間、データレートを再度高められる。
【００１５】
本発明の択一実施例では、第２のデータパケットは、第１のデータパケットの、第１の送信局から第２の送信局に伝送されるが、コネクションが引き渡される前に、第２の送信局から受信局に伝送されないようなものと一致させるとよい。この構成によると、即座にコネクションのハンドオーバー時に、データ伝送中加入者装置が、直ぐに第１の送信局によって得る必要があるデータパケットが伝送される。このデータパケットは、加入者装置に最初に到達し、更に、第３の送信局がデータ伝送のステータスを検出する前にも到達する。つまり、データレートが上昇する。
【００１６】
第１のデータパケットのうち、第１の送信局から第２の送信局に伝送されるが、第２の送信局から受信局にコネクションが引き渡される前には伝送されないデータパケットが、第１の送信局から第２の送信局又は受信局への予測伝送期間を用いて求められるようにすると目的に適っている。予測伝送期間、即ち、データパケットが、第１の送信局による送信後、第２の送信局又は受信局によって受信されるのに必要な時間を用いて、第１の送信局によって、コネクション切替を実行する前に第１の送信局によって送信されたにも拘わらず、受信局に到達することができなかったデータパケットが示される。このデータパケットは、第３の送信局から伝送することができ、その際、この第３の送信局は、データ伝送のステータス情報を用いない。
【００１７】
移動体通信システムには、方法を実施するのに必要な各コンポーネントが装置構成される。
【００１８】
以下、本発明について、図示の実施例を用いて詳細に説明する。その際：
図１は、従来技術のＵＭＴＳを示す図、
図２は、本発明のセルラー移動体通信システムの一部分を示す図、
図３〜７は、コネクション交換時のデータ伝送の流れを示す図、
図８は、アドホックネットワークの形式での、本発明の移動体通信システムの他の実施例を示す図
である。
【００１９】
本発明について、以下、ＵＭＴＳを用いて説明する。本発明は、他の移動体通信システムにも使えることは当然である。殊に、この点は、ＧＳＭ、アドホックネットワーク（図８参照）及び第４世代の移動体通信システムに該当する。
【００２０】
図１及び図２の同じ参照記号は、同じ対象を示す。
【００２１】
ＵＭＴＳの図２に示された部分には、第１、第２、第３の送信局が、コントローラＲＮＣ、第１の基地局Ｂ１及び第２の基地局Ｂ２によって示されている。加入者装置ＵＥの形式での受信局と、第１の基地局Ｂ１との間のコネクションが、伝送路１によって形成されている。このコネクションを介して、第１のデータパケットＤＰｍがコアネットワークＣＮから、インターフェースＩｕ及びＩｕｂ１を用いて加入者装置ＵＥに伝送される。コントローラＲＮＣは、メモリＲＳを有している。メモリＢＳを有する基地局Ｂ１，Ｂ２、及び、メモリＵＳを有する加入者装置ＵＥは、後述の情報Ｉを求めることができるプロセッサＰを有している。メモリＲＳ，ＢＳ，ＵＳは、データパケット及び各データパケットのデータ伝送のステータスについての情報を記憶するのに使われる。
【００２２】
第１の基地局Ｂ１では、コントローラＲＮＣから伝送されたデータパケットＤＰｍがメモリＢＳ内に記憶され、メモリＢＳから加入者装置ＵＥに伝送される。その際、第１の基地局Ｂ１及び加入者装置ＵＥでは、プロセッサＰを用いて、第１のデータパケットＤＰｍのうちのどれが、第１の基地局Ｂ１を介して加入者装置ＵＥに伝送されるのか示す情報Ｉが求められる。従って、この情報Ｉは、第１のデータパケットＤＰｍのどれが、ＮＡＣＫ信号を加入者装置ＵＥから第１の基地局Ｂ１に送信され、第１のデータパケットＤＰｍのどれが、コントローラＲＮＣから第１の基地局Ｂ１に伝送されたが、未だ加入者装置ＵＥに送信されていないことを示す。コントローラＲＮＣは、そのメモリＲＳの内容を用いて、どのデータパケットが既に第１の基地局Ｂ１に伝送され、どのデータパケットが未だ第１の基地局Ｂ１に伝送されていないか確認することができる。
【００２３】
伝送路１を介してのコネクションの質が最小程度以下に低下した場合、それと同時に、第２の基地局Ｂ２を介しての可能な伝送路２で、改善されたコネクションの質が可能であるならば、伝送路が変更され、即ち、コネクションが第１の基地局Ｂ１から第２の基地局Ｂ２に引き渡される。このハンドオーバー後直ぐに、第２のデータパケットＤＰｍ′が、コントローラＲＮＣから第２の基地局Ｂ２に伝送され、第２の基地局Ｂ２から加入者装置ＵＥに伝送される。この第２のデータパケットＤＰｍ′は、前には第１の基地局Ｂ１に伝送されていない。コントローラＲＮＣにより、当該コントローラＲＣのメモリＲＳの伝送ステータスに基づいて、前に第１の基地局Ｂ１に伝送されなかった、識別番号ｍ′の第２のデータパケットＤＰｍ′だけが、当該コントローラＲＣのメモリＲＳから伝送される。このようにして、ハンドオーバー後直ぐに、加入者装置ＵＥにデータ伝送することができる。この第２のデータパケットＤＰｍ′を加入者装置ＵＥに伝送して初めて、乃至、伝送している間、第２の基地局Ｂ２は、第１のデータパケットＤＰｍのうちの、第１の基地局Ｂ１を介して加入者装置ＵＥに、以前にうまく伝送されなかったデータパケットについて通知され、即ち、加入者装置ＵＥがＮＡＣＫ信号を第１の基地局Ｂ１に送信したり、又は、第１の基地局Ｂ１内に記憶されていて、未だ加入者装置ＵＥに伝送されていないデータパケットについて通知される。この情報Ｉは、そのために、加入者装置ＵＥによって、エアインターフェースを介して、及び、第１の基地局Ｂ２によってインターフェースＩｕｂ１及びＩｕｂ２を介して第２の基地局Ｂ２に伝送される。情報Ｉの伝送後、及び、それと同時に、情報Ｉによって示されたデータパケットを、インターフェースＩｕｂ１及びＩｕｂ２を介して伝送した後、このデータパケットのデータ伝送が繰り返されて、移動体通信システムは、規則的なデータ伝送を続ける。
【００２４】
図３〜図７には、第１の基地局Ｂ１から第２の基地局Ｂ２にコネクションを引き渡す前及びハンドオーバー直後のデータ伝送の時間経過が示されている。テーブルには、関与している局のメモリＲＳ，ＢＳ，ＵＳの内容が、種々異なる時点で示されている。コントローラＲＮＣのメモリＲＳの第１の欄（ｎｅｗ）には、コントローラＲＮＣがコアネットワークＣＮから得たが、未だ第１の基地局Ｂ１乃至第２の基地局Ｂ２のメモリＢＳに伝送されていないデータパケットの識別番号が記載されている。メモリＲＳ，ＢＳの第２の欄（ｓｅｎｔ）の各々には、既に送信されたデータパケットの識別番号が示されており、第３の欄（ｒｅｔｒａｎｓ）には、ＮＡＣＫ信号後に新たに伝送されたデータパケットの識別番号が記載されている。加入者装置ＵＥのメモリＵＳ内には第１の欄（ＡＣＫ）により、どのデータパケットがうまくデコーディングされたか示され、第２の欄（ＮＡＣＫ）には、所属のデータパケットがうまくデコーディングできなくて、新たに伝送するように要求されている識別番号が記載されている。以下、表記「データパケットｎ」は、識別番号ｎのデータパケットを示すものとする。
【００２５】
図３によると、コントローラＲＮＣにより、コネクション中伝送路１を介して先ずデータパケット１〜４（ｓｅｎｔ）が、第１のデータパケットＤＰｍ（図２参照）として第１の基地局Ｂ１に伝送される。別のデータパケット５〜９（ｎｅｗ）は、未だ待機列内であり、伝送されるのを待機している。第１の基地局Ｂ１は、既にデータパケット１〜３を伝送し（ｓｅｎｔ）、データパケット４は、受信したが、未だ加入者装置ＵＥに伝送されていない。加入者装置ＵＥは、データパケット１及び３（ＡＣＫ）をうまくデコーディングしたが、データパケット２は、誤って受信され（ＮＡＣＫ）、新たに要求されている。
【００２６】
分かり易くするために、以下の図では常に、新たなデータパケットの後続の伝送を、メモリ内容のアクチュエートと並列して示されているとは限らない。しかし、この並列伝送は可能である。
【００２７】
図４では、コントローラＲＮＣのメモリＲＳは、変更されないままである。加入者装置ＵＥから基地局Ｂ１にＡＣＫ信号とＮＡＣＫ信号とが伝送された後、更にデータパケット４が第１の基地局Ｂ１に伝送のために準備状態にされるが、未だ送信されない。基地局Ｂ１は、データパケット２が新たに伝送される必要がある（ｒｅｔｒａｎｓ）ということについて通知される。加入者装置ＵＥによって、このデータパケット２は、まだうまく受信されておらず、その結果、このデータパケットに対しては、更にステータス「ＮＡＣＫ」が記憶されたままである。データパケット１及び３のステータス「ＡＣＫ」についての情報は、もはや必要でなく、この間消去される。
【００２８】
この状態で、ハンドオーバーが行われると、図５に示された状況となる。第１の基地局Ｂ１と、加入者装置ＵＥのメモリは、変化なしのままである。しかし、コントローラＲＮＣから、新たなデータパケット５〜７（ｓｅｎｔ）が、第２のデータパケットＤＰｍ′（図２参照）として、第２の基地局Ｂ２に伝送される（そこの第１列参照）。第２の基地局Ｂ２の列の疑問符から、第２の基地局Ｂ２が、この時点で、これまでの伝送の経過について情報が利用されないことは明らかである。
【００２９】
図６には、第２の基地局Ｂ２によってデータパケット５〜７（ｓｅｎｔ）が伝送され、それと同時に、この伝送に続いて、第１の基地局Ｂ２及び加入者装置ＵＥのメモリが、第２の基地局Ｂ２を用いて調整される（ステータス同期）。ステータス同期の際、第１の基地局Ｂ１のメモリＢＳ内に記憶された、データ伝送のステータス情報が情報Ｉとして較正され、所要のデータパケットが伝送される。この例では、データパケット２及び４、並びに、所属のステータス情報（情報Ｉ）が、ステータス同期時に伝送される。その際、加入者装置ＵＥのメモリは、当該メモリに相変わらず記憶されているデータパケット２のステータス情報に対して付加的に、データパケット５〜７の伝送結果についての情報を当然含んでいる。
【００３０】
第２の基地局Ｂ２のメモリのアクチュエート後、第１の基地局Ｂ１のメモリ状態に相応して、つまり、データパケット４が第１の列に位置しており、データパケット２が第３の列に位置している。同様に、第３の列内には、加入者装置ＵＥ用のデータパケット６が、新たな伝送を要求している。
【００３１】
本発明によると、ステータス同期の前に先ず、第１のデータパケット５〜７が第２の基地局Ｂ２を介して伝送される。それと比較して、従来技術によると、データパケット５〜７は、ステータス同期後初めて伝送される。
【００３２】
第１の基地局Ｂ１及び第２の基地局Ｂ２には、図示の実施例では、１つしかコントローラＲＮＣが配属されていない。しかし、本発明の方法は、第１の基地局Ｂ１と第２の基地局Ｂ２とが種々異なったコントローラＲＮＣに所属している（図２参照）状況でも伝送可能である。この場合、ステータス同期時に付加的にインターフェースＩｕｒが必要である。
【００３３】
別の実施例では、コントローラＲＮＣは、データパケットを第１の基地局Ｂ１、又は、加入者装置ＵＥに到る迄の予測伝送時間を検出する。つまり、コントローラＲＮＣは、データパケット４がハンドオーバー前に加入者装置ＵＥに伝送することができるかどうか予測又は評価することができる。図５のデータパケット４の場合に分かるように、ハンドオーバーの前には伝送できない場合、コントローラＲＮＣは、当然データパケット４をデータパケット５〜７と一緒に伝送することができ、そのようにして、付加的に、コネクション切替中、データレートが高まる。このような場合は、第２の基地局Ｂ２のメモリＢＳ内に括弧に入れた数字４によって示されている。予測伝送時間は、コントローラＲＮＣによって、第１のデータパケットＤＰｍを第１の基地局Ｂ１から加入者装置ＵＥに伝送する最大データレートと、データパケットＤＰｍをコントローラＲＮＣから第１の基地局Ｂ１に伝送する際の遅延とから特定することができる。第１の基地局への伝送時の遅延は、コントローラＲＮＣに、これまでの伝送によって知らされ、例えば、約１０〜１００ｍｓである。その際、大きな遅延時間は、殊に、データパケットの伝送用のインターフェースＩｕｒが必要とされる場合、即ち、種々異なるコントローラＲＮＣがデータ伝送に関与している場合に達成される。例えば、予測伝送時間が１００ｍｓである場合、ハンドオーバー前に８０ｍｓで（１００ｍｓから安全間隔、この例では、例えば、２０ｍｓを減じた）第１の基地局Ｂ１に伝送されたデータパケットが、もはや、加入者装置ＵＥに伝送されなくなる。このデータパケットは、コントローラＲＮＣが、第１の基地局Ｂ１に未だ伝送されていないデータパケットと一緒に即座に第１の基地局Ｂ２に伝送することができる。
【００３４】
図８に示されているような、アドホックネットワークでも、本発明の方法を用いることができる。この場合には、第１のデータパケットＤＰｍは、第１の移動局ＭＳ１によって又はアクセス局ＺＳによって第２の移動局ＭＳ２に伝送され、そこから、受信局として別の移動局ＭＳ４に伝送される。第２のデータパケットＤＰｍ′は、第３の移動局ＭＳ３に伝送され、そこから別の移動局ＭＳ４に伝送される。その際、アクセス局は固定局であり、つまり、ＵＭＴＳ内のコントローラＲＮＣと同様に、アドホックネットワークの加入者局であって、コアネットワークＣＮ内にアクセスすることができる。移動局ＭＳｉは、各々データパケット及びデータ伝送のステータス情報用のメモリＳと、情報Ｉの検出用のプロセッサＰを有している。送信局及び受信局用の別の符号も含めて、本発明の、図８に示されているような、アドホックネットワークでの方法の経過は、セルラーシステムを用いて既述した実施例（図２〜７）と同じである。
【図面の簡単な説明】
【００３５】
【図１】従来技術のＵＭＴＳを示す図。
【００３６】
【図２】本発明のセルラー移動体通信システムの一部分を示す図。
【００３７】
【図３】コネクション交換時のデータ伝送の流れを示す図。
【００３８】
【図４】コネクション交換時のデータ伝送の流れを示す図。
【００３９】
【図５】コネクション交換時のデータ伝送の流れを示す図。
【００４０】
【図６】コネクション交換時のデータ伝送の流れを示す図。
【００４１】
【図７】コネクション交換時のデータ伝送の流れを示す図。
【００４２】
【図８】アドホックネットワークの形式での、本発明の移動体通信システムの他の実施例を示す図。
【図１】
2006502609.tif 000003
【図２】
2006502609.tif 000004
【図３】
2006502609.tif 000005
【図４】
2006502609.tif 000006
【図５】
2006502609.tif 000007
【図６】
2006502609.tif 000008
【図７】
2006502609.tif 000009
【図８】
2006502609.tif 000010
【手続補正書】
【提出日】平成16年1月27日(2004.1.27)
【手続補正１】
【補正対象書類名】特許請求の範囲
【補正対象項目名】請求項１
【補正方法】変更
【補正の内容】
【請求項１】
移動体通信システム内で、第１の送信局（ＲＮＣ；ＭＳ１，ＺＳ）から移動受信局（ＵＥ；ＭＳ４）にデータパケットを伝送する方法において、
第１の送信局（ＲＮＣ；ＭＳ１，ＺＳ）と受信局（ＵＥ；ＭＳ４）との間のコネクションを、第２の送信局（Ｂ１；ＭＳ２）によって構築し、
受信局（ＵＥ；ＭＳ４）への伝送のために、第１のデータパケット（ＤＰｍ）を、前記第１の送信局（ＲＮＣ；ＭＳ１，ＺＳ）から前記第２の送信局（Ｂ１；ＭＳ２）に伝送し、
前記第２の送信局（Ｂ１；ＭＳ２）を介して前記受信局（ＵＥ；ＭＳ４）にうまく伝送されなかった第１のデータパケット（ＤＰｍ）についての情報（Ｉ）を、第２の送信局（Ｂ１；ＭＳ２）及び／又は受信局（ＵＥ；ＭＳ４）で検出し、
前記コネクションを前記第３の送信局（Ｂ２；ＭＳ３）にハンドオーバーし、
前記コネクションのハンドオーバー後、第２のデータパケット（ＤＰｍ′）を前記第１の送信局（ＲＮＣ；ＭＳ１，ＺＳ）から前記第３の送信局（Ｂ２；ＭＳ３）に伝送し、当該第３の送信局（Ｂ２；ＭＳ３）から前記受信局（ＵＥ；ＭＳ４）に伝送し、
前記情報（Ｉ）を、前記第２のデータパケット（ＤＰｍ′）の伝送後初めて、前記第１の送信局（ＲＮＣ；ＭＳ１，ＺＳ）及び／又は前記第３の送信局（Ｂ２；ＭＳ３）に伝送する
ことを特徴とする方法。
【手続補正２】
【補正対象書類名】明細書
【補正対象項目名】０００８
【補正方法】変更
【補正の内容】
【０００８】
ヨーロッパ特許公開第０６９５０５３号公報には、セルラーコンピュータ装置（ｃｅｌｌｕｌａｒ  ｃｏｍｐｕｔｅｒ  ｄｅｖｉｃｅ）用の、以前の基地局から新規基地局へのハンドオーバーについて記載されている。データ伝送のプロトコルステータスは、新規基地局に、セルラーコンピュータ装置の相応の情報によって、以前の基地局の情報が伝送されるか、又は、ハンドオーバー中両方の情報の組み合わせが伝送される。
ドイツ連邦共和国特許公開第１００１７０６２号公報には、移動体通信ネットワークの作動用の方法が記載されており、その際、第１の基地局から第２の基地局への移動局のコネクション切替時に、伝送特性情報を第１の上位ネットワークユニットから第２の上位ネットワークユニットに伝送して、実際の状態からコネクション切替後に、データユニットを移動局に伝送し続けることができる。
従って、本発明の課題は、加入者装置ＵＥに配属されたセルの変化の際に（ハードハンドオーバー又はＦＣＳ）、従来技術で可能なデータレートよりも高いデータレートにすることができる方法を提供することにある。


【国際調査報告】
2006502609.tif 000011
2006502609.tif 000012
2006502609.tif 000013
2006502609.tif 000014
2006502609.tif 000015
2006502609.tif 000016